(57)【特許請求の範囲】
【請求項１】
太陽電池モジュールが取り付けられた敷設面の水切り構造であって、
取付ネジによって上記敷設面に取り付けるための取付孔が形成された基底部と、上記太陽電池モジュールを載置する第一の載置部と、を備えた太陽電池モジュール設置用金具と、
上記太陽電池モジュール設置用金具が載置される第二の載置部と、当該第二の載置部上であって、当該第二の載置部上に太陽電池モジュール設置用金具が載置された際に、上記太陽電池モジュール設置用金具の取付孔が位置する箇所の外側に、上記敷設面に対して直角な向きに突出して形成された突設部と、を備えた水切り板と、
下面側に開口面を有した水切りカバーと、を有し、
上記水切り板は、上記敷設面上に載置され、
上記太陽電池モジュール設置用金具は、上記水切り板の第二の載置部上に上記基底部を載置させられると共に、上記取付孔を介し、取付ネジによって、上記水切り板を介して上記敷設面に取り付けられ、
上記水切りカバーは、上記太陽電池モジュール設置用金具を覆い、
上記第一の載置部上に、上記水切りカバー、及び所定の太陽電池モジュール設置用部材を介して、上記太陽電池モジュールが載置される、
ことを特徴とする水切り構造。
【請求項２】
上記敷設面は所定の勾配を形成しており、
上記突設部は、上記第二の載置部のうち、載置される太陽電池モジュール設置用金具の基底部の外周形状に沿って、梁行方向棟側と桁行方向の両側において形成されている、
請求項１記載の水切り構造。
【請求項３】
上記水切りカバーの梁行方向棟側の外周面は、中央部分が棟側へ突出すると共に、両端方向に向かって軒側へ傾斜する、
請求項１又は２記載の水切り構造。
【請求項４】
上記突設部の梁行方向棟側部分は、中央部分が棟側へ突出すると共に、両端方向に向かって軒側へ傾斜する、
請求項１乃至３いずれかの項に記載の水切り構造
【請求項５】
上記敷設面は、複数の屋根板が梁行方向に葺き上げられた横葺き屋根であり、
上記複数の屋根板は、隣り合う屋根板同士において、梁行方向棟側の屋根板の端部が、軒側の屋根板の端部に被さって上下に段差を形成しており、
上記水切り板の棟側端部が、上記段差内に差し込まれている、
請求項１乃至４いずれかの項に記載の水切り構造。
【請求項６】
上記水切り板の棟側端部には、軒側へ折り返した折返部が形成されており、
上記段差内に差し込まれた折返部が、上記梁行方向棟側の屋根板の下面に当接している、
請求項５記載の水切り構造。
【請求項７】
少なくとも、上記突設部の梁行方向棟側の部分と、当該部分に当接する上記水切りキャップの内周面とがシーリングされている、
請求項１乃至６いずれかの項に記載の水切り構造。
【請求項８】
上記水切り板の第二の載置部の下面側であって、上記第二の載置部上に太陽電池モジュール設置用金具が載置された際に、上記太陽電池モジュール設置用金具の取付孔が位置する箇所の外側に、軒側端部に向かって上面側へ溝状に窪むと共に、この窪みの軒側端部が外部に向かって開口した空隙部、を備える、
請求項１乃至７いずれかの項に記載の水切り構造。
【請求項９】
上記空隙部は、上記突設部に沿って、上記水切り板の第二の載置部の下面側に形成されている、
請求項８記載の水切り構造。
【請求項１０】
上記水切りカバーは、下面側に開口面を有した中空のキャップ状体からなる、
請求項１乃至９いずれかの項に記載の水切り構造。
【請求項１１】
上記水切りカバーは、下面側において、長さ方向に開口した中空の略棒状体からなり、
複数の上記太陽電池モジュール設置用金具が、上記基底部の取付孔に取付ネジを挿通させることにより、上記敷設面上に所定の設置間隔を置いて一列に取り付けられ、
上記水切りカバーが、上記開口面より、上記敷設面上に一列に設置された複数の太陽電池モジュール設置用金具を一体的に覆う、
請求項１乃至９いずれかの項に記載の水切り構造。
【請求項１２】
上記敷設面と上記水切り板との間は、シール材によりシーリングされている、
請求項１乃至１１いずれかの項に記載の水切り構造。
【発明の詳細な説明】
【技術分野】
【０００１】
本発明は、太陽電池モジュールを屋根等に取り付ける際の水切り構造に関する。
【背景技術】
【０００２】
近年、環境に対する関心や政策等から、公共施設や一般家庭など、至る場所で太陽電池の設置が進められている。
太陽電池を屋外に設置する場合、多くは施設あるいは家屋の屋根への設置が想定されるが、風雨に十分に耐え得る構造が必要となる。そのため、屋根等の敷設面への太陽電池の固定に際しては、ボルトやビスなどが使われている。
【０００３】
一方、屋根等の敷設面の多くは本来、太陽電池を取り付けることを想定して作られてはいない。そのため、太陽電池の取り付けに際しては、取付面等から雨水が侵入して家屋の雨漏りを引き起こすことがないよう配慮する必要がある。
そして、防水機能の付加においては、これまでシーリングに頼ったものが多かったが、シーリング材の経年劣化や、作業者の熟練度による仕上がりのバラつきなど、改善の余地があった。
【０００４】
この点、特許文献１では、屋根上機器を、第一取付桟を介して、屋根面上に取り付けるようにした屋根上機器の取付構造であって、前記第一取付桟が、屋根面上に固定される長尺の固定部材と、該固定部材に対して上から固定される長尺の水切板とから構成される構造が提案されている。
また、特許文献２では、傾斜した屋根の上に雨水が流下する金属板を配し、この金属板の上に太陽光利用機器を設置する屋根設置架台を配設した太陽光利用システムであって、前記屋根設置架台は、太陽光利用機器を固定する支持体と、この支持体を覆うカバー体とから成り、前記金属板における屋根設置架台の配設領域の上流部分に当該金属板を折り曲げて成る鍔部を形成し、この鍔部の下に前記カバー体の端部を挿入した太陽光利用システムが提案されている。
【先行技術文献】
【特許文献】
【０００５】
【特許文献１】特開２００３−１５５８０４号公報
【特許文献２】特開２００６−８９９７８号公報
【発明の概要】
【発明が解決しようとする課題】
【０００６】
しかしながら、特許文献１記載の技術では、屋根面上に固定され、水切板を取り付ける固定部材が、屋根面上に取り付けられる全ての太陽電池モジュールの取付幅と同程度に長尺の部材からなる。そのために重量が大きくなり、取付家屋等に対する負荷が大きく、材料の調達コストもかかる。
また、特許文献２記載の技術では、固定金具の基底部上に、防水カバーを接着剤で接着しているだけであるため、時間の経過と共に防水カバーが剥がれるなどして、防水効果が減じてしまうという問題があった。
さらに、特許文献１、２共に、固定部材ないしは固定金具の角部分において、屋根等の敷設面に局所的な圧力が加えられ、敷設面が突き破られる虞があるし、敷設面上における雨水等の横走りを防止することについては特段の配慮がなされていなかった。
【０００７】
そこで、本発明は、太陽電池モジュールが設置された屋根等の敷設面において、太陽電池モジュールの取付金具の取付面等から雨水が家屋に侵入するのを防止することを目的とする。
その上で、本発明は特に、経年劣化に耐え、太陽電池モジュールを取り付ける家屋ないしは屋根等に対する負担を小さくすることの出来る水切り構造を提供することを目的とする。
【課題を解決するための手段】
【０００８】
上記目的を達成するため、太陽電池モジュールが取り付けられた敷設面の水切り構造であって、取付ネジによって上記敷設面に取り付けるための取付孔が形成された基底部と、上記太陽電池モジュールを載置する第一の載置部と、を備えた太陽電池モジュール設置用金具と、上記太陽電池モジュール設置用金具が載置される第二の載置部と、当該第二の載置部上であって、当該第二の載置部上に太陽電池モジュール設置用金具が載置された際に、上記太陽電池モジュール設置用金具の取付孔が位置する箇所の外側に、上記敷設面に対して直角な向きに突出して形成された突設部と、を備えた水切り板と、下面側に開口面を有した水切りカバーと、を有し、上記水切り板は、上記敷設面上に載置され、上記太陽電池モジュール設置用金具は、上記水切り板の第二の載置部上に上記基底部を載置させられると共に、上記取付孔を介し、取付ネジによって、上記水切り板を介して上記敷設面に取り付けられ、上記水切りカバーは、上記太陽電池モジュール設置用金具を覆い、上記第一の載置部上に、上記水切りカバー、及び所定の太陽電池モジュール設置用部材を介して、上記太陽電池モジュールが載置されることを特徴とする。
【０００９】
また、上記敷設面は所定の勾配を形成しており、上記突設部は、上記第二の載置部のうち、載置される太陽電池モジュール設置用金具の基底部の外周形状に沿って、梁行方向棟側と桁行方向の両側において形成されているものとしてもよい。
【００１０】
また、上記水切りカバーの梁行方向棟側の外周面は、中央部分が棟側へ突出すると共に、両端方向に向かって軒側へ傾斜するものとしてもよい。
【００１１】
また、上記突設部の梁行方向棟側部分は、中央部分が棟側へ突出すると共に、両端方向に向かって軒側へ傾斜するものとしてもよい。
【００１２】
上記敷設面は、複数の屋根板が梁行方向に葺き上げられた横葺き屋根であり、上記複数の屋根板は、隣り合う屋根板同士において、梁行方向棟側の屋根板の端部が、軒側の屋根板の端部に被さって上下に段差を形成しており、上記水切り板の棟側端部が、上記段差内に差し込まれているものとしてもよい。
【００１３】
また、上記水切り板の棟側端部には、軒側へ折り返した折返部が形成されており、上記段差内に差し込まれた折返部が、上記梁行方向棟側の屋根板の下面に当接しているものとしてもよい。
【００１４】
また、少なくとも、上記突設部の梁行方向棟側の部分と、当該部分に当接する上記水切りキャップの内周面とがシーリングされているものとしてもよい。
【００１５】
また、上記水切り板の第二の載置部の下面側であって、上記第二の載置部上に太陽電池モジュール設置用金具が載置された際に、上記太陽電池モジュール設置用金具の取付孔が位置する箇所の外側に、軒側端部に向かって上面側へ溝状に窪むと共に、この窪みの軒側端部が外部に向かって開口した空隙部、を備えるものとしてもよい。
【００１６】
また、上記空隙部は、上記突設部に沿って、上記水切り板の第二の載置部の下面側に形成されているものとしてもよい。
【００１７】
また、上記水切りカバーは、下面側に開口面を有した中空のキャップ状体からなるものとしてもよい。
【００１８】
また、上記水切りカバーは、下面側において、長さ方向に開口した中空の略棒状体からなり、複数の上記太陽電池モジュール設置用金具が、上記基底部の取付孔に取付ネジを挿通させることにより、上記敷設面上に所定の設置間隔を置いて一列に取り付けられ、上記水切りカバーが、上記開口面より、上記敷設面上に一列に設置された複数の太陽電池モジュール設置用金具を一体的に覆うものとしてもよい。
【００１９】
また、上記敷設面と上記水切り板との間は、シール材によりシーリングされているものとしてもよい。
【発明の効果】
【００２０】
本発明によれば、太陽電池モジュールが設置された屋根等の敷設面において、太陽電池モジュールの取付金具の取付面等から雨水が家屋に侵入するのを防止することができる。
さらに、本発明に係る水切り構造は、経年劣化に耐え、太陽電池モジュールを取り付ける家屋ないしは屋根等に対する負担を小さくすることが出来る。
【図面の簡単な説明】
【００２１】
【図１】本発明の第一の実施形態に係る水切り構造において、太陽電池モジュールを敷設面に設置する状態を示す外観斜視図である。
【図２】本実施形態に係る水切り構造を示す側断面図である。
【図３】本実施形態に係る水切り構造を示す、（ａ）平面図、及び（ｂ）正面図である。
【図４】本実施形態に係る水切り構造において用いられる水切り板を示す外観斜視図であり、（ａ）、（ｂ）は夫々、異なる例を示す。
【図５】本実施形態に係る水切り構造において用いられる設置金具を示す外観斜視図である。
【図６】本実施形態に係る水切り構造を示す分解斜視図である。
【図７】本発明の第二の実施形態に係る水切り構造を示す側断面図である。
【図８】本実施形態に係る水切り構造を示す、（ａ）平面図、及び（ｂ）正面図である。
【図９】本実施形態に係る水切り構造を示す分解斜視図である。
【発明を実施するための形態】
【実施例１】
【００２２】
以下、本発明の第一の実施形態に係る水切り構造について、図を参照して説明する。
本実施形態に係る水切り構造では、図１及び図２に示されるように、屋根等の敷設面１上に水切り板４があてがわれ、その上に設置金具５、水切りカバー６、及び縦材２を介して太陽電池モジュール３が取り付けられている。
【００２３】
本例における敷設面１は、図２に示されるように、所定の勾配を有した野地板１１上に、複数枚の金属板１２を梁行方向（ｙ方向）に葺き上げた横葺きの金属屋根である。
ここで、金属板１２は、軒側端部においては、棟側方向に下面側へ折り返した顎部１２ａを形成し、棟側端部においては、軒側方向に上面側へ折り返した顎部１２ｂを形成している。そして、上下に隣り合う屋根板において、棟側の金属板１２の顎部１２ａと、軒側の金属板１２の顎部１２ｂとは互いに係合しており、当該係合部分においては、梁行方向（ｙ方向）棟側の屋根板が軒側の屋根板上に被さるように段差を形成している。
なお、金属板１２の裏面には適宜、発砲スチレン、発砲スチロール等の裏打材が積層されている。
【００２４】
縦材２は、その上に太陽電池モジュール３を載置するための部材であって、水切りカバー６を介して設置金具５上に固定される。
この縦材２は、図６に示されるように、中空の直方体形状からなる棒状体である。
上面には長さ方向に開口した開口部２１ａが形成され、この開口部２１ａの両脇の水平面は、太陽電池モジュールを載置するための載置部２１を構成する。また、載置部２１の側端部から敷設面１に向かって側面部２２が延び出ており、側面部２２の下端部には、水平な基底部２３が形成されている。そして、この載置部２１、側面部２２、及び基底部２３に囲まれて中空部２１ｂが形成されている。
また、基底部２３には、設置金具５の設置間隔に応じて、設置金具５に取り付けられる締結ボルト５ｂを挿通させるための締結孔２ａが設けられている。
【００２５】
また、この縦材２は、水切りカバー６を介して、設置金具５上に載置され、設置金具５に取り付けられた締結ボルト５ｂを基底部２３の締結孔２ａに挿通させ、ナット等で螺合することにより、設置金具５上に固定的に設置される。
また、載置部２１上に太陽電池モジュール３を載置し、予め太陽電池モジュール３のフレームに設けられている締結孔と、載置部２１間の開口部２１ａとに所定の締結ボルトを挿通させ、中空部２１ｂ内でナット等とで螺合することにより、縦材２上に太陽電池モジュール３が固定的に設置される。
【００２６】
なお、本例においては、上面に開口部２１ａが形成された縦材２を用いているが、これに限らず、下面に開口部が形成された縦材を用いることもできる。この場合、縦材と設置金具５に取り付けた締結ボルト５ｂを基底部の開口部から挿通させ、これを中空部内でナット等により螺合させて締結する。一方、上面の載置部には、太陽電池モジュール３と縦材とを締結する締結ボルトを挿通させるための締結孔を予め設けておき、太陽電池モジュール３のフレームに予め設けておいた締結孔と載置部の締結孔とに締結ボルトを挿通させ、ナット等で締結することで、縦材上に太陽電池モジュール３を設置することができる。また、設置金具５と縦材２、及び縦材２と太陽電池モジュール３を締結する締結ボルトは、別々の締結ボルトを用いずに、同じ締結ボルトでまとめて締結してもよい。
【００２７】
太陽電池モジュール３は、受光により発電する光電変換素子をフレームで囲ってなるものである。素子の種類は、シリコン系、化合物系、有機系等などが用いられ、本発明の実施においては特に限定されない。
この太陽電池モジュール３のフレームには、太陽電池モジュール３を縦材２に設置するための締結孔が予め設けられており、この締結孔と、縦材２の基底部２１間の開口部２１ａに締結ボルトを挿通させると共に、ナット等を螺合することにより、縦材２上に太陽電池モジュール３が固定される。
【００２８】
水切り板４は、設置金具５の角部分において敷設面１にかかる力を緩衝すると共に、敷設面１上を横走りする雨水等が、敷設面１の設置金具５を取り付けた箇所を伝って屋内等へ入り込まないようにするための部材である。
この水切り板４は、図４（ａ）に示されるように、一枚の矩形状の金属板を成形加工してなり、敷設面１上に載置されると共に、設置金具５を載置する載置部４１と、載置部４１の一側縁部を上面側へ折り返して形成した折返部４２とからなる。
【００２９】
また、載置部４１の上面側には、載置される設置金具５の基底部５１の外周形状に沿って、敷設面１から立ち上がるようにして突き出した突設部４１ａが形成されている。この突設部４１ａは、図３（ａ）又は図４（ａ）に示されるように、載置される設置金具５の桁行方向（ｘ方向）側に形成される一対の桁行側突設部４１ｘと、梁行方向（ｙ方向）のうちの棟側に形成される梁行側突設部４１ｙとからなる。なお、図３（ａ）中、斜線部分は突設部４１ａを示しており、桁行方向（ｘ方向）及び梁行方向（ｙ方向）は共に、各部材が敷設面１上に取り付けられた際の向きを示している。
ここで、桁行側突設部４１ｘは、梁行方向（ｙ方向）に真っ直ぐに形成されている。一方、梁行側突設部４１ｙは、中央部分が梁行方向（ｙ方向）棟側に張り出すと共に、両端部に向かって、梁行方向（ｙ方向）軒側へ傾斜している。これにより、敷設面上を雨水等が横走りした場合でも、雨水等の浸入が突設部４１ａに妨げられて、取付ボルト５１ｂによって敷設面１に取り付けることによって敷設面１に空けられた孔（以下、敷設面１に取付ボルト５１ｂを取り付けた箇所を「取付面」という）から雨水等が浸入するのを防止することができる。
【００３０】
また、載置部４１の下面側には、図４（ａ）に示されるように、底面から上面側へ溝状に窪んで凹設された空隙部４１ｂが形成されている。この空隙部４１ｂは、突設部４１ａに沿って、突設部４１ａの下面側に形成されている。また、空隙部４１ｂは、載置部４１の軒側端部まで形成され、この軒側端部は外側に向かって開口している。これにより、水切り板４の下面に、雨水等が横走りして浸入してきた場合であっても、雨水は空隙部４１ｂを伝って軒側端部から外へ排水され、取付面から雨水等が浸入するのを防止することができる。
【００３１】
また、折返部４２は、図２に示されるように、隣り合う金属板１２の係合部に差し込まれる。この際、折返部４２は、下面側が、軒側の金属板１２上に当接すると共に、上面側が、棟側の金属板１２の顎部１２ａに当接する。このように差し込まれることで、敷設面１ないしは金属板１２と水切り板４との間に棟側から雨水、例えば棟側の金属板１２上から流れ落ちてくる雨水等が取付面へ浸入するのを防ぐことができる。また、折返部４２が、軒側の金属板１２と、棟側の金属板１２の顎部１２ａとに当接することで、当該当接面から係合部内へ、雨水等が回り込んで浸入するのを防ぐことができる。
【００３２】
なお、本例における水切り板４は、突設部４１ａの裏面側に空隙部４１ｂを形成しているが、これに限らず、突設部４１ａと空隙部４１ｂは少なくとも、設置金具５の取付面の外側に形成されていればよく、このような水切り板４の他の例を図４（ｂ）に示す。
【００３３】
水切り板７は、水切り板４と同様に、一枚の矩形状の金属板を成形加工してなり、敷設面１上に載置されると共に、設置金具５を載置する載置部７１と、載置部７１の一側縁部を折り返して形成した折返部７２とからなる。
一方、水切り板７は、水切り板４とは異なり、突設部７１ａとは異なる位置に空隙部７１ｂを設けられている。即ち、空隙部７１ｂは、突設部７１ａの外側において、梁行方向（ｙ方向）に真っ直ぐに形成されている。このような形状からなる水切り板７によってもやはり、敷設面上を横走りする雨水等は突設部７１ａによって浸入を妨げられるし、水切り板７の下面に浸入してくる雨水等は空隙部７１ｂを伝って軒側へ排水され、取付面から雨水等が浸入するのを防止することができる。
【００３４】
以上の構成を備える水切り板４は、所定の間隔を設けながら、桁行方向（ｘ方向）及び梁行方向（ｙ方向）において一列となるように、隣り合う屋根板の係合部分に折返部４２を差し込んで取り付けられている。
なお、本例における水切り板４は、桁行方向（ｘ方向）では、縦材２が２本で１枚の太陽電池モジュール３を支持する間隔を形成するように、敷設面１上に取り付けられている。また、梁行方向（ｙ方向）では、隣り合う屋根板の段差部ごとに取り付けられている。しかしながら、水切り板４ないしは水切り板４を介して取り付けられる設置金具５の設置間隔は、上述の例に限られるものではなく、桁行方向（ｘ方向）において、３本以上の縦材２によって１枚の太陽電池モジュール３を支持する設置間隔とすることもできるし、梁行方向（ｙ方向）において、屋根板の段差部の幾つかを飛ばし、例えば２つ置きといったような設置間隔とすることもできる。
【００３５】
なお、水切り板４と、これに当接する敷設面１との間はシーリングされていてもよい。この場合に使用するシーリング剤は、接着性を有するものであれば特に限定されないが、例えば、シリコーン系、変性シリコーン系、ポリサルファイド系、アクリルウレタン系、ポリウレタン系、変性ポリサルファイド系、アクリル系、ＳＢＲ系、ブチルゴム系の油性コーキング剤など、水分の遮蔽性に優れたものが好適である。
【００３６】
設置金具５は、図２及び図３に示されるように、敷設面１上において、縦材２及び太陽電池モジュール３を載置するために、敷設面１に取り付けられる金具である。設置金具５の材質には、アルミや鉄やステンレスなどの金属を適用でき、特に限定されないが、耐候性の良いものが好適である。
【００３７】
この設置金具５は金属を成形加工したものであり、図５に示されるように、矩形状の基底部５１と、この基底部５１の両端部から一定の間隔を置いた位置から、互いと近接する向きに斜めに立設させて形成した一対の斜設部５２と、この斜設部５２の端部を互いに向き合うように屈曲させて一体的に形成した掛架部５３と、斜設部５２の端部から基底部５１及び掛架部５３と直角な向きに延出させて形成した一対の立設部５４と、両立設部５４の先端に夫々、基底部５１及び掛架部５３と平行に形成された一対の載置部５５とを備える。
【００３８】
基底部５１の両端部近傍には夫々、取付ネジ５１ｂを挿通させるための取付孔５１ａが穿設されている。そして、設置金具５は、水切り板４の載置部４１のうち、突設部４１ａで囲われた部分に基底部５１を載置させると共に、取付孔５１ａに挿通させた取付ネジ５１ｂを敷設面１にねじ込ませて、敷設面１上に取り付けられる。
【００３９】
また、掛架部５３の上面側には、掛架部５３、立設部５４、及び載置部５５により囲まれた中空部５ａが形成されている。さらに、この中空部５ａの上方に形成されている載置部５５間には、その幅が、締結ボルト５ｂの軸の直径より僅かに大きく、また、締結ボルト５ｂの頭部分の直径よりも小さい開口部５５ａが形成されている。
そして、図２に示されるように、中空部５ａ内には締結ボルト５ｂの頭部分が差し込まれ、開口部５５ａから、基底部５１ないしは掛架部５３と対向する向きに、締結ボルト５ｂの軸部分が突き出している。
設置金具５の中空部５ａ及び開口部５５ａから突き出て、水切りカバー６の締結孔６ａ及び縦材２の締結孔２ａに挿通された締結ボルト５ｂは、ナット５ｃと螺合して、これらを一体的に固定している。
【００４０】
以上の構成からなる設置金具５は、各水切り板４上に取り付けられている。取り付けにおいては、取付孔５１ａが梁行方向（ｙ方向）軒側ないしは棟側に位置するように、あるいは開口部５５ａが桁行方向（ｘ方向）と平行となるように取り付けられている。
【００４１】
水切りカバー６は、設置金具５の敷設面１への取付面に水分が浸入するのを防止するカバーである。水切りカバー６の材質には、アルミや鉄やステンレス等の板金のプレス加工品や、ポリカーボネイトなどの樹脂成型品等を適用できるが、特に限定されない。
【００４２】
この水切りカバー６は、図３又は図６に示されるように、敷設面１に向けられる面である下面が開口した中空のキャップ形状からなり、開口面は、水切り板４の突設部４２の外周に沿った形状を有している。即ち、開口面のうち、設置金具５を覆った際、梁行方向（ｙ方向）棟側に相当する部分は、中央部分が梁行方向（ｙ方向）棟側に張り出すと共に、両端部に向かって、梁行方向（ｙ方向）軒側へ傾斜している。
また、水切りカバー６の中央には、設置金具５から突き出した締結ボルト５ｂを挿通させるための締結孔６ａが穿設されている。
なお、図３の（ａ）平面図、及び（ｂ）正面図では、水切りカバー６に覆われた設置金具５の形状等を示すため、水切りカバー６を破線により示している。
【００４３】
水切りカバー６の深さは少なくとも、設置金具５の高さ、即ち基底部５１から載置部５５までの長さに相当する長さを有しており、設置金具５に水切りカバー６を被せた際には、設置金具５全体が水切りカバー６で覆われる。
【００４４】
ここで、少なくとも水切りカバー６の棟側部分の内面と、この部分に当接する水切り板４との間はシーリングされている。シーリングに使用するシーリング剤は、接着性を有するものであれば特に限定されないが、例えば、シリコーン系、変性シリコーン系、ポリサルファイド系、アクリルウレタン系、ポリウレタン系、変性ポリサルファイド系、アクリル系、ＳＢＲ系、ブチルゴム系の油性コーキング剤など、水分の遮蔽性に優れたものが好適である。なお、水切りカバー６とこれに当接する水切り板４との間を全体的にシーリングすることもできる。
【００４５】
さらに図６を参照して、敷設面１上に順次、水切り板４、設置金具５、水切りカバー６、及び縦材２を取り付ける一連の工程について説明する。
まず、敷設面１上において、横葺きされた複数枚の屋根板の間に水切り板４の折返部４２を差し込んで、水切り板４を設置する。この際、水切り板４は、梁行方向（ｙ方向）においては一列に且つ、屋根板の段差部分毎に差し込む。また、桁行方向（ｘ方向）においては２つの縦材２で太陽電池モジュール３を支えるように、所定の間隔をおいて取り付ける。
なお、水切り板４を敷設面１に設置する際には、図２を参照して前述したとおり、水切り板４の折返部４２を、下面側が、軒側の金属板１２上に当接すると共に、上面側が、棟側の金属板１２の顎部１２ａに当接するように、金属板１２の係合部へ差し込む。
また、この際、水切り板４とこれに当接する敷設面１との間をシーリングしてもよい。ここで使用するシーリング剤は、前述の通り、接着性を有するものであれば特に限定されない。
【００４６】
次に、水切り板４の載置部４１のうち、突設部４１ａで囲われた部分に設置金具５を載置する。そして、図２に示されるように、タッピンネジ等の取付ネジ５１ｂを、載置された設置金具５の取付孔５１ａに挿通させると共に、水切り板４を貫いて敷設面１にねじ込ませ、設置金具５と水切り板４とを敷設面１に一体的に取り付ける。
【００４７】
次に、設置金具５を覆って水切りカバー６を取り付ける。取り付けに際しては、水切りカバー６の締結孔６ａに、設置金具５から突き出した締結ボルト５ｂを挿通させる。
この際、少なくとも水切りカバー６の棟側部分の内側とこの部分に当接する水切り板４との間をシーリングするとよい。ここで使用するシーリング剤は、前述の通り、接着性を有するものであれば特に限定されない。なお、水切りカバー６とこれに当接する水切り板４との間を全体的にシーリングすることもできる。
【００４８】
次に、水切りカバー６の上から縦材２を取り付ける。取り付けに際しては、縦材２の締結孔２ａに、設置金具５及び水切りカバー６の締結孔６ａから突き出した締結ボルト５ｂを挿通させる。
【００４９】
最後に、水切りカバー６の締結孔６ａ及び縦材２の締結孔２ａに挿通された締結ボルト４３ｂにナット５ｃを螺合させ、これにより、設置金具５、水切りカバー６、及び縦材２が一体的に取り付けられる。
【００５０】
なお、太陽電池モジュール３は、縦材２上に載置され、フレームの所定の位置に予め設けられた締結孔と、載置部２１間の開口部２１ａとに所定の締結ボルトを挿通させ、ナット等で螺合することにより、縦材２上に設置される。これにより、設置金具５の載置部５５上に、水切りカバー６及び縦材２を介して太陽電池モジュール３が固定的に設置される。また、設置金具５と縦材２、及び縦材２と太陽電池モジュール３を締結する締結ボルトは、別々の締結ボルトを用いずに、同じ締結ボルトでまとめて締結してもよい。
【００５１】
なお、取付ネジ５１ｂや締結ボルト５ｂの取り付けに際しては、座面を保護するために、適宜ワッシャーを挟み込むとよい。
【００５２】
以上のように各部材が取り付けられることで、太陽電池モジュール３が設置された屋根等の敷設面１において、太陽電池モジュール３の設置金具５の取付面等から雨水が屋内に侵入するのを防止することができる。また、経年劣化に耐え、太陽電池モジュール３を取り付ける家屋等に対する負担を小さくすることが出来る。
さらに、設置金具５と敷設面１との間に水切り板４が挟持されているため、設置金具５の角部分において、屋根等の敷設面に局所的にかかる力を緩衝することができ、敷設面の突き破りを防ぐことができる。また、水切り板４に突設部４１ａが設けられていることで、敷設面上における雨水等の横走りにより、取付面から屋内等へ雨水等が浸入することを防止することができる。また、水切り板４に空隙部４１ｂが設けられていることで、水切り板４の下面に雨水等が横走りして浸入等した場合であっても、雨水は空隙部４１ｂを伝って軒側へ排水され、取付面から雨水等が浸入することを防止することができる。
【実施例２】
【００５３】
次に、本発明の第二の実施形態について図を参照して説明する。
本実施形態に係る水切り構造は、図７及び図９に示されるように、第一の実施形態の水切りカバー６とは異なる長尺形状の水切りカバー８を用い、敷設面１上に梁行方向へ一列に設置された複数の設置金具５を一体的に覆う。
なお、水切りカバー８以外の構成については、第一の実施形態と同様であって、図７に示されるように、屋根等の敷設面１上に水切り板４があてがわれ、その上に設置金具５、水切りカバー８、及び縦材２が取り付けられる。また、第一の実施形態の図１と同様に、縦材２上には太陽電池モジュール３が取り付けられている。
【００５４】
この水切りカバー８は、図８又は図９に示されるように、一枚の金属板を折り曲げて形成された断面が略ハット状の長尺部材であり、敷設面１に対して斜めに立ち上がるように設けられた一対の傾斜部８１と、この傾斜部８１から、敷設面１に対して直角に立設された一対の立設部８２と、この立設部８２から屈曲して一体的に形成された載置部８３とからなる。
また、上面に縦材２を載置する載置部８３上には、設置金具５から突き出した締結ボルト５ｂを挿通させるための締結孔８ａが、設置金具５の取付間隔に応じて穿設されている。
なお、図８の（ａ）平面図、及び（ｂ）正面図では、水切りカバー８に覆われた設置金具５の形状等を示すため、水切りカバー６を破線により示している。
【００５５】
また、水切りカバー８は少なくとも、設置金具５の高さ、即ち基底部５１の下端から載置部５５までの長さに相当する高さと、設置金具５の横幅に相当する幅を有しており、設置金具５に水切りカバー６を被せた際には、設置金具５全体が水切りカバー８で覆われる。
さらに、水切りカバー８は、敷設面１上に梁行方向（ｙ方向）に一列に設置された複数の設置金具５を、一体的に覆うことの出来る長さを有している。
なお、本例においては、水切りカバー８の端部は、水切り板４の載置部４１上に当接しているが、これに限らず、水切りカバー８の幅を本例よりも広く形成することにより、水切り板４の外側において、水切りカバー８の端部が敷設面１に当接するように構成してもよい。
【００５６】
ここで、水切りカバー８の傾斜部８１の内側の面と、この部分に当接する水切り板４との間はシーリングしておいてもよい。シーリングに使用するシーリング剤は、接着性を有するものであれば特に限定されないが、例えば、シリコーン系、変性シリコーン系、ポリサルファイド系、アクリルウレタン系、ポリウレタン系、変性ポリサルファイド系、アクリル系、ＳＢＲ系、ブチルゴム系の油性コーキング剤など、水分の遮蔽性に優れたものが好適である。
【００５７】
さらに図９を参照して、敷設面１上に順次、水切り板４、設置金具５、水切りカバー８、及び縦材２を取り付ける一連の工程について説明する。
まず、第一の実施形態と同様に、敷設面１上において、横葺きされた複数枚の屋根板の段差部内に水切り板４の折返部４２を係合して、水切り板４を設置する。この際、水切り板４は、梁行方向（ｙ方向）においては一列に且つ、段差部分毎に差し込む。また、桁行方向（ｘ方向）においては２つの縦材２で太陽電池モジュール３を支えるように、所定の間隔をおいて取り付ける。
【００５８】
さらに、図７に示されるように、水切り板４の載置部４１のうち、突設部４１ａで囲われた部分に設置金具５を載置する。そして、タッピンネジ等の取付ネジ５１ｂを、載置された設置金具５の取付孔５１ａに挿通させると共に、水切り板４を貫いて敷設面１にねじ込ませ、設置金具５と水切り板４とを敷設面１に一体的に取り付ける。
【００５９】
次に、敷設面１上において梁行方向（ｙ方向）に一列に設置された複数の設置金具５を一体的に覆って、水切りカバー８を取り付ける。取り付けに際しては、水切りカバー６の各締結孔８ａに、対応する設置金具５から突き出した締結ボルト５ｂを挿通させる。これにより、一つの水切りカバー８で、一列に設置された複数の設置金具５がまとめて覆われる。
この際、少なくとも水切りカバー８の傾斜部８１の内側の面と、この部分に当接する水切り板４との間をシーリングしてもよい。ここで使用するシーリング剤は、前述の通り、接着性を有するものであれば特に限定されない。
【００６０】
次に、水切りカバー８の上から縦材２を取り付ける。取り付けに際しては、縦材２の各締結孔２ａに、設置金具５及び水切りカバー８の締結孔８ａから突き出した締結ボルト５ｂを挿通させる。
【００６１】
最後に、水切りカバー８の締結孔８ａ及び縦材２の締結孔２ａに挿通された締結ボルト４３ｂにナット５ｃを螺合させ、これにより、設置金具５、水切りカバー８、及び縦材２が一体的に取り付けられる。
【００６２】
なお、太陽電池モジュール３については第一の実施形態と同様、縦材２上に載置され、フレームの所定の位置に予め設けられた締結孔と、載置部２１間の開口部２１ａとに所定の締結ボルトを挿通させ、ナット等で螺合することにより、縦材２上に設置される。これにより、設置金具５の載置部５５上に、水切りカバー８及び縦材２を介して太陽電池モジュール３が固定的に設置される。また、設置金具５と縦材２、及び縦材２と太陽電池モジュール３を締結する締結ボルトを、別々の締結ボルトを用いずに、同じ締結ボルトでまとめて締結してもよいこと、また、取付ネジ５１ｂや締結ボルト５ｂの取り付けに際して、座面を保護するために、適宜ワッシャーを挟み込んでもよいことについては、第一の実施形態と同様である。
【００６３】
本実施形態によれば、複数の設置金具５に対して一つの水切りカバー８を取り付けるだけでよいため、施工の工数が少なくて済む。
【符号の説明】
【００６４】
１      敷設面
１１    野地板
１２    金属板
１２ａ  顎部
１２ｂ  顎部
２      縦材
２ａ    締結孔
２１    載置部
２１ａ  開口部
２１ｂ  中空部
２２    側面部
２３    基底部
３      太陽電池モジュール
４      水切り板
４１    載置部
４１ａ  突設部
４１ｂ  空隙部
４１ｘ  桁行側突設部
４１ｙ  梁行側突設部
４２    折返部
５      設置金具
５ａ    中空部
５ｂ    締結ボルト
５ｃ    ナット
５１    基底部
５１ａ  取付孔
５１ｂ  取付ネジ
５２    斜設部
５３    掛架部
５４    立設部
５５    載置部
５５ａ  開口部
６      水切りカバー
６ａ    締結孔
７      水切り板
７１    載置部
７１ａ  突設部
７１ｂ  空隙部
７２    折返部
８      水切りカバー
８ａ    締結孔
８１    傾斜部
８２    立設部
８３    載置部
ｘ      桁行方向
ｙ      梁行方向
【図１】
0005404354.tif 000002
【図２】
0005404354.tif 000003
【図３】
0005404354.tif 000004
【図４】
0005404354.tif 000005
【図５】
0005404354.tif 000006
【図６】
0005404354.tif 000007
【図７】
0005404354.tif 000008
【図８】
0005404354.tif 000009
【図９】
0005404354.tif 000010